(57)【要約】  【課題】学童机に、地震の際に学童に適切な避難場所を与えることができる耐震構造を与える。  【解決手段】４本の脚支柱１１ａ、１１ａ、１１ｂ、１１ｂに天板３を支持させてなる学童机Ｄに、後方に位置する左右の脚支柱１１ｂ、１１ｂ間を連結する第１の幕板たるフロントパネル４と、左右に位置する前後の脚支柱１１ａ、１１ｂ間をそれぞれ連結する第２の幕板たるサイドパネル５と、前記左右に位置する前後の脚支柱１１ａ、１１ｂ間で天板３下に潜り込んだ者が把持可能な位置に設けた掴まり手段６とを取り付ける。  【選択図】図４
2006158941.tif 000002
【特許請求の範囲】
【請求項１】
４本の脚支柱に天板を支持させてなる学童机に、後方に位置する左右の脚支柱間を連結する第１の幕板と、左右に位置する前後の脚支柱間をそれぞれ連結する第２の幕板と、前記左右に位置する前後の脚支柱間で天板下に潜り込んだ者が把持可能な位置に設けた掴まり手段とを取り付けることを特徴とする学童机の耐震構造。
【請求項２】
掴まり手段は、前後に略水平に延びる棒状のものである請求項１記載の学童机の耐震構造。
【請求項３】
幕板の下端が木口を隠蔽するように折り曲げられている請求項１又は２記載の学童机の耐震構造。
【請求項４】
幕板に、学童の爪が入り込まない程度の大きさのパンチング孔を多数設けている請求項１〜３記載の学童机の耐震構造。
【請求項５】
前記掴まり手段を、前記第２の幕板に一体に設けている請求項１〜４記載の学童机の耐震構造。
【発明の詳細な説明】
【技術分野】
【０００１】
本発明は、地震の際に学童に適切な避難場所を与える学童机の耐震構造に関するものである。
【背景技術】
【０００２】
従来より、学校の教室における授業中に地震に遭遇した際には、学童はまず座っている机の下に避難することが安全対策として説明され、また、地震を想定した初動時の避難訓練の際にも、このことが訓練として実行されている。
【０００３】
このため、学童机は簡単には圧潰しないような強度を有するものでなければならず、机の下に避難した学童の安全性をも十分に配慮したものでなければならない。
【０００４】
そこで、特許文献１に示すように、骨組を金属製の材料で構成し、上部に天板と棚板を取り付けると共に、脚部の回りの全部、或いは一部をその前方を除いて多数のパンチング孔を設けた金属製の保護板で覆った耐震用学童机や、骨組を金属製の材料で構成し、上部に天板と棚板を取り付けると共に、脚部の回りの全部、或いは一部をその前方を除いて保護板で囲うとともに、天板或いは棚板の下方に掴まり手段を設けた耐震用学童机が案出されている。
【特許文献１】特許第２７０４７１９号公報
【発明の開示】
【発明が解決しようとする課題】
【０００５】
しかしながら、このものは、４本の脚部を連結部材を介して連結するとともに、その上部両側部と後部上方に枠体を囲設して机全体の強度を確保し、その上で脚部の回りに保護板を設けるようにしたものであるため、枠体や連結部材に起因して全体が重厚になることが避け難いという欠点がある。
【０００６】
また、掴まり手段が斜めに配置されているため、掴まり易い体勢が同文献に図示されるような体勢に限定されるという難点がある。
【０００７】
さらに、幕板の木口に学童の身体の一部が触れると危険であることから、図示の学童机において、幕板下端にフラットバーを溶接しておく方策も考えられるが、フラットバー自体は大きな厚みを持たないため、身体の一部がフラットバーに強く当たると痛みを感じ、安全とは言えない。また、単にこのような構造では机全体の強度には直接関連しないため、木口対策が同時に強度対策となるような構成を採用することが望まれる。
【０００８】
さらにまた、従来のパンチング孔はφ７．５ｍｍ程度のものであるため、日常生活における使用時、地震時等にとっさに机にしがみつく際、学童の爪が入り込んで引っ掛かり易いという問題もある。
【０００９】
本発明は、これらの課題を一挙に解決した学童机の耐震構造を提供することを目的としている。
【課題を解決するための手段】
【００１０】
本発明は、上記の目的を達成するために、次のような手段を講じたものである。
【００１１】
すなわち、本発明に係る学童机の耐震構造は、４本の脚支柱に天板を支持させてなる学童机に、後方に位置する左右の脚支柱間を連結する第１の幕板と、左右に位置する前後の脚支柱間をそれぞれ連結する第２の幕板と、前記左右に位置する前後の脚支柱間で天板下に潜り込んだ者が把持可能な位置に設けた掴まり手段とを取り付けるものである。
【００１２】
このようなものであると、４本の脚支柱に天板を支持させてなる従来用いられている学童机に、前記第１の幕板、前記第２の幕板、及び前記掴まり手段を取り付けて備えさせるので、飛散物から学童を保護する前記第１の幕板により、後方に位置する左右の脚支柱間を連結し、同じく飛散物から学童を保護する第２の幕板により、左右に位置する前後の脚支柱間を連結し、さらに前記左右に位置する前後の脚支柱間で天板下に潜り込んだ者が把持可能な位置に体勢を維持するために必要な掴まり手段を備えさせることから、従来用いられている学童机に耐震に必要な要素部品のみを取り付けることにより、机全体の強度を有効に確保することができる。
【００１３】
掴まり手段は、前後に略水平に延びる棒状のものであることが望ましい。
【００１４】
幕板の構造としては、その下端が木口を隠蔽するように折り曲げられているものが好ましい。
【００１５】
あるいは、幕板に、学童の爪が入り込まない程度の大きさのパンチング孔を多数設けているものも有効である。
【００１６】
より少ない工数でこのような耐震構造を実現するためには、前記掴まり手段を、前記第２の幕板に一体に設けているものが好ましい。
【発明の効果】
【００１７】
本発明は、以上のような構成であるから、従来用いられている学童机に、地震の際に学童に適切な避難場所を与える耐震用学童机としての構造を簡単かつ有効に付与することが可能となる。
【発明を実施するための最良の形態】
【００１８】
以下、本発明の一実施形態を、図面を参照して説明する。
【００１９】
この実施形態の学童机Ｄの耐震構造は、図１に斜視図、図２に正面図、図３に側面図、図４に分解斜視図、図５に図３におけるａ−ａ断面図を示すような、脚構造体１に棚板２及び天板３を支持させた学童机Ｄに用いられる。この学童机Ｄは、従来広く用いられている学童机として周知のものと同様の構造を有する。
【００２０】
具体的に説明すると、脚構造体１は、４本の脚支柱１１ａ、１１ａ、１１ｂ、１１ｂを具備する。前記脚支柱１１ａ、１１ｂは、金属製の丸パイプ素材からなるものである。また、左側及び右側に位置する前後の脚支柱１１ａ、１１ｂの上端部間を、接続部１１ｓを介して接続している。本実施形態では、１本の金属製丸パイプを屈曲させて、前方に位置する脚支柱１１ａ、接続部１１ｓ、及び後方に位置する脚支柱１１ｂを形成している。また、前記脚構造体１には、左右に位置する前後の脚支柱１１ａ、１１ｂ間に、足掛けとしての機能を兼ねる金属製の補強部材１５が溶接継手（図示略）を介して架橋してある。さらに、前方に位置する左右の脚支柱１１ａ、１１ａには、金属製の補強部材１６が溶接継手（図示略）を介して架橋してある。そして、前記接続部１１ｓには、荷物等を掛けるためのフック１７を取り付けている。
【００２１】
以上のように構成される脚構造体１に、本実施形態は棚板２及び天板３を取り付けている。
【００２２】
しかして本実施形態では、後方に位置する左右の脚支柱１１ｂ、１１ｂ間、及び、左右に位置する前後の脚支柱１１ａ、１１ｂ間に、それぞれ互いに別体をなす第１の幕板たるフロントパネル４及び第２の幕板たるサイドパネル５を取り付けて連結している。前記図１、図２、及び図３では、前記学童机Ｄにこれらフロントパネル４及びサイドパネル５を取り付けた状態を示している。また、本実施形態では、更に、前記サイドパネル５に、天板２の下に潜り込んだ者が把持可能な掴まり手段６を設けている。
【００２３】
フロントパネル４及びサイドパネル５は金属製のもので、パネル面の両端に位置する起立縁部に脚支柱１１ａ、１１ｂの外周に沿って部分的に添接する折り曲げ片４ａ、５ａを形成している。また、前記図５の要部を拡大して示した図である図６に示すように、この折り曲げ片４ａ、５ａには、ねじ挿通孔４ｘ、５ｘを形成しているとともに、前記脚支柱１１ａ、１１ｂには、めねじ孔１１ｘ、１１ｘを形成している。前記ねじ挿通孔４ｘ、５ｘにおねじ部材Ｂを挿通させて、このおねじ部材Ｂを脚支柱１１ａ、１１ｂに添接させた状態で、めねじ孔１１ｘ、１１ｘに前記おねじ部材Ｂを螺着している。これらフロントパネル４及びサイドパネル５には、パネル面の下端部に木口を隠蔽するように内方に屈曲させた折り曲げ部４ｄ、５ｄを形成している。フロントパネル４及びサイドパネル５のパネル面には、学童の爪が入り込まない程度に細径な大きさのパンチング孔４ｅ、５ｅが多数設けてあり、その孔径は最大７ｍｍ以下とされている。
【００２４】
掴まり手段６は、前後に略水平に延びる直径１５ｍｍ〜３０ｍｍ程度の丸パイプ素材をグリップ状にしたものである。具体的には、一端をサイドパネル５の後部に溶接継手Ｘ２を介して剛接し他端を斜め前方に略水平に延出させた後把持部６ａと、一端をサイドパネル５の前部に溶接継手Ｘ２を介して剛接し他端を斜め後方に略水平に延出させた前把持部６ｂと、両把持部の他端間に位置する略水平な中間把持部６ｃとからなる。
【００２５】
以上のように構成される本実施形態の耐震用学童机は、掴まり手段６を具備することによって、地震時に机の下に避難した学童が地震の揺れによって身体を机の下から投げ出され、或いは机が転倒しないように掴まり手段６に掴まって支えることができ、また、フロントパネル４及びサイドパネル５に設けたパンチング孔４ｅ、５ｅを通して周囲の様子を覗い、或いはフロントパネル４及びサイドパネル５の存在によって側方より天板３の下に飛び込んで来ようとする飛散物から身を守ることができるのである。
【００２６】
このように構成することにより、枠体等に頼らずとも、従来用いられている学童机Ｄに、飛散物から学童を保護するフロントパネル４及びサイドパネル５や揺れに対して体勢を維持するために必要な掴まり手段６等、耐震に必要な要素部品を取り付けるだけで脚構造体１ひいては机全体の強度を有効に確保することができ、従来に比べて耐震機能を損なわずに簡素で軽量な机を有効に提供することが可能となる。
【００２７】
特に、掴まり手段６が略水平に配置してあり、地震で身体の体勢に変化が生じる前後において学童から掴まり手段６への相対高さは変わらないため、学童は掴まり手段６全体をうまく利用して安定に掴まり続けることができる。すなわち、特に図示すべき最適な体勢というものはなく、むしろ様々な体勢で掴まり手段６を有効に活用して身を守ることが可能となる。
【００２８】
また、フロントパネル４及びサイドパネル５は、木口を隠蔽するようにパネル面の下端を折り曲げており、折り曲げ部４ｄ、４ｄを比較的大きく滑らかに膨出させているので、激しく揺さぶられて身体がフロントパネル４又はサイドパネル５の下端に衝突しても折り曲げ部４ｄ、５ｄにおいて衝撃を有効に和らげることができる。また、折り曲げ部４ｄ、５ｄがリブとして機能するため、フロントパネル４、サイドパネル５、ひいては机全体の強度をより有効に向上を図ることができ、木口を閉じた形状とすることで安全性も確保することができる。
【００２９】
また、フロントパネル４及びサイドパネル５に、学童の爪が入り込まない程度に細径なパンチング孔４ｅ、５ｅを多数設けているため、地震時に机の下に避難した際、パンチング孔４ｅ、５ｅを通して周囲を覗うことができる上に、パンチング孔４ｅ、５ｅが小さいため、爪が引っ掛かる等の不都合も有効に回避することが可能となる。
【００３０】
なお、各部の具体的構成は、上述した実施形態のみに限定されるものではない。
【００３１】
例えば、掴まり手段の前後両端にねじ挿通孔を設けるとともに、脚支柱にめねじ孔を設け、前記ねじ挿通孔を通過させたおねじ部材を前記めねじ孔に螺着する態様も考えられる。この態様では、左右に位置する前後の脚支柱間を、サイドパネルに加えて掴まり手段によっても連結するので、強度をより増すことができる。
【００３２】
また、上述した実施形態におけるフロントパネル４及びサイドパネル５に代えて、上縁部及び両側縁部に、一部を切り欠いた円柱形をなし、脚支柱１１ａ、１１ｂの上端部を接続する接続部１１ｓ及び脚支柱１１ａ、１１ｂにそれぞれ抱着可能な取付部を設け、この取付部を介して机Ｄに取り付けるようにしている第１の幕板及び第２の幕板を取り付けるようにしてもよい。これら第１の幕板及び第２の幕板の取付部は、弾性を有する金属素材により形成するとともに、第１の幕板又は第２の幕板に、溶接、ねじ止め等の方法により固定して設けるとよい。
【００３３】
さらに、上述した実施形態におけるフロントパネル４及びサイドパネル５に代えて、上縁部及び両側縁部に係合孔を有する第１の幕板及び第２の幕板を用意するとともに、脚支柱１１ａ、１１ｂの上端部を接続する接続部１１ｓ及び脚支柱１１ａ、１１ｂに係合爪を有するパネル取付部材を取り付けるようにし、前記係合爪に前記係合孔を係合させて第１の幕板及び第２の幕板を取り付けるようにしてもよい。
【００３４】
加えて、脚支柱の下端にアジャスタを設け、脚支柱を前記アジャスタに高さ調整可能に支持させるようにしてもよい。
【００３５】
そして、４本の脚支柱に天板を支持させてなる学童机において、地震の際には、脚支柱に過大な衝撃力が掛かって脚支柱が圧潰されることが起こり得るが、脚支柱の下端にアジャスタを設け、脚支柱を前記アジャスタに高さ調整可能に支持させる学童机において、このような脚支柱の圧潰を防ぐには、アジャスタの取付構造に図７に示すようなものを採用するとよい。このものは、脚支柱１１ａ、１１ｂの下端中空部に圧入する樹脂製のめねじ部材１１０を、下端に脚支柱１１ａ、１１ｂの内径よりも大径な拡開部１１０ａを有するものにし、このめねじ部材１１０にアジャスタ本体１１１のねじ軸１１１ａを螺合させて使用するようにしたものである。このようにすると、地震時に天板３に大きな衝撃が掛かり、床からの反力がめねじ部材１１０に加わった場合、拡開部１１０ａが樹脂であると、強い衝撃力が加わると拡開部１１０ａが変形或いは破損しながらめねじ部材１１０が脚支柱１１ａ、１１ｂ内に没入し、このとき脚支柱１１ａ、１１ｂに掛かる衝撃を吸収することができる。すなわち、拡開部１１０ａがクラッシャブルゾーンとして機能することで、脚支柱１１ａ、１１ｂに過大な衝撃力が掛かることを防ぎ、この結果、脚支柱１１ａ、１１ｂが圧潰されないようになり、退避空間を有効に確保することができる。
【００３６】
その他の構成、例えば支柱の太さや形状、掴まり手段の太さや形状、天板やパネルの材質等も、本発明の趣旨を逸脱しない範囲で種々変形が可能である。
【図面の簡単な説明】
【００３７】
【図１】本発明の一実施形態を斜め後上方から見た斜視図。
【図２】同実施形態を示す正面図。
【図３】同実施形態を示す側面図。
【図４】同実施形態を示す分解斜視図。
【図５】図３におけるａ−ａ断面図。
【図６】図５における要部を拡大して示した図。
【図７】同実施形態の変形例を示す図。
【符号の説明】
【００３８】
１１ａ、１１ｂ…脚支柱
４…幕板（フロントパネル）
５…幕板（サイドパネル）
６…掴まり手段
４ｅ、５ｅ…パンチング孔
【図１】
2006158941.tif 000003
【図２】
2006158941.tif 000004
【図３】
2006158941.tif 000005
【図４】
2006158941.tif 000006
【図５】
2006158941.tif 000007
【図６】
2006158941.tif 000008
【図７】
2006158941.tif 000009